(57)【要約】【課題】収容物を差し込んで支持する支持部材を内部に有する包装用紙箱において、外箱部と支持部材とが一体的に形成された一枚のシートからなり、収容物を安定的に支持すると同時に外箱の強度が高い包装用紙箱を提供すること。【解決手段】一枚のシートを複数の折線を介して折り曲げることで組み立てられる包装用紙箱であって、互いに連設された外箱形成部と糊代部と支持体形成部とを有し、前記外箱形成部は４面の外箱壁を有し、前記外箱形成部に連続して糊代部が延設され、前記糊代部の端に支持体形成部が延設され、前記支持体形成部は、複数の折線を介して連設された、１又は複数の支持穴板と複数の支持壁板とを有しており、前記複数の支持壁板の高さの合計が、外箱壁の高さと略同一であることを特徴とする、包装用紙箱。【選択図】図１
2013227037.tif 000002
【特許請求の範囲】
【請求項１】
一枚のシートを複数の折線を介して折り曲げることで組み立てられる包装用紙箱であって、
互いに連設された外箱形成部と糊代部と支持体形成部とを有し、
前記外箱形成部は、互いに平行する第１〜第３の３本の折線を介して同一方向に折り曲げ可能に連設された４面の外箱壁を有し、
前記外箱壁は、フラップが延設された一対の左右壁と、天蓋及び底蓋が延設された一対の前後壁とを有し、
前記外箱形成部の端に、前記第１〜第３の折線と平行で同一方向に折り曲げ可能である第４の折線を介して、前記左右壁と略同一の大きさである糊代部が延設され、
前記糊代部の端に、前記第１〜第４の折線と平行で同一方向に折り曲げ可能である第５の折線を介して、支持体形成部が延設され、
前記支持体形成部は、前記第１〜第５の折線と垂直に折り曲げ可能である複数の折線を介して連設された、１又は複数の支持穴板と複数の支持壁板とを有しており、
前記複数の支持壁板の高さの合計が、外箱壁の高さと略同一であることを特徴とする、包装用紙箱。
【請求項２】
前記複数の支持壁板のうち、端部に配置された支持壁板の末端辺が、外箱の上辺又は下辺のいずれかと略同一高さとなるように配設されており、当該支持壁板の一辺で、糊代部と連接されていることを特徴とする、請求項１に記載の包装用紙箱。
【請求項３】
前記支持穴板に穿設された収容物の支持穴が、小突出を有する円形であり、前記小突出の先端は、前記支持穴板の辺縁を規定する折線に接していることを特徴とする、請求項１又は２に記載の包装用紙箱。
【請求項４】
糊付部が、前記糊代部に設けられた糊付部のみであることを特徴とする、請求項１〜３のいずれかに記載の包装用紙箱。
【請求項５】
収容物が、一端に先細形状の先端を有する物品であり、前記物品は支持体穴に掛止されて、当該物品の先端が外箱の底に接しない状態で収容されることを特徴とする、請求項１〜４のいずれかに記載の包装用紙箱。
【発明の詳細な説明】
【技術分野】
【０００１】
本発明は、収容する物品を支持するための部材を内部に備える、包装用の紙箱に関する。特に、紙箱の外箱部と支持部材とが一体的に形成された一枚のシートから組み立てられる構造の包装用紙箱に関する。
【背景技術】
【０００２】
紙箱に収容される、比較的小型で細長い形状を有する商品には多種多様な製品、例えば、工業品ではシリンジや各種の機械部品、日用品では筆記用具や化粧品等がある。このような製品を一点ずつ包装するためには、通常、商品の形態に合わせて細長い厚紙製の箱が使用される。これら紙箱の中にはしばしば、製品を外部の衝撃から保護したり、製品が箱の中で動くことを防止したりする目的で、支持部材が挿入されている。
【０００３】
例えば特許文献１には、薬瓶等を収容する紙箱であって、外箱体と中枠形成片の２枚のブランクシートから形成される包装用紙箱が開示されている。この紙箱は、包装用箱に収容される薬瓶等を安定して保持し、高い緩衝効果を有する物品収容中枠と、包装用外箱とからなり、組み立てられた外箱の中に、別途組立てられた物品収容中枠が挿入される構造である。
中枠は、上面（仕切穴板）に収容物を差し入れる穴を有し、側面は、向かい合う側面同士が互いに近づく方向に折り曲げられている。また、この側面には、収容物の底面や側面が嵌合するように当接部が設けられている。かかる当接部によって収容物は安定的に保持され、外部からの衝撃によって破損しにくいという効果を有する。また包装箱の底面は、外箱体の底面と中枠部材の底面とで二重になるため、上下方向の衝撃に対する底面の耐衝撃性が高められる。
【０００４】
しかしながら、この包装箱では、例えば包装箱の上面から力が加わった場合には、外箱体のみが加重を受けることとなるため、中枠は何ら強度に寄与しない。また、箱の側面のうちで中枠の保持板と平行な面は、中枠の保持板が中途で内向きに折り曲げられているために、外部からの変形力に対しては主として外箱体のみが荷重を受けることとなる。
さらに、外箱と中枠が別々のブランクシートから形成されているため、一体のブランクシートから組み立てられる包装箱と比較すると、部材の製造や箱の組立工程が煩雑になり、コスト及び工数の点で課題があった。
【０００５】
一方、特許文献２は、箱体（外箱形成展開体）と支持部材（支持体形成部）とが一体に形成されたシートから組み立てられる、薬容器包装用紙箱を開示している。図６に示すとおり、この紙箱は、外箱形成部（Ａ）である、背面板１０１・右側板１０２・正面板１０３・左側板１０４に連続して、容器支持体形成部（Ｂ）が延設されている。容器支持体形成部（Ｂ）は、内側背板１０５の上方に、支持板１０６、支持壁１０７、緩衝用底１０８、間隔形成用貼着片１０９、中間支持板１１０及び間隔形成板１１１が順次延設されている。組み立て時には、容器支持体形成部が２箇所（１０９、１１１）糊付けされ、折り込まれた後に、箱形成部と内側背板１０５とがさらに貼着されて包装箱が形成される。
この包装箱に収容される収容物は、２枚の支持板に支持されると同時に、外箱の底面から離間した緩衝用底に保持されるため、外部からの衝撃を受けにくく、収容物の安定支持性に優れている。
【０００６】
しかしながら、容器支持体形成部（Ｂ）と外箱形成部（Ａ）とが重なり合うことによって外箱が強化される部分は、背面板１０１と内側背板１０５との重複部分、及び、正面板１０３と支持壁１０７の重複部分のみである。すなわち、右側板１０２・左側板１０４の両側面はいずれも強化されない。また、内側背板１０５は上部を欠いた形態であるため、外箱の上方から力を受けた場合には、外箱のみが加重を受けることとなり、容器支持体形成部は何ら外箱の強度に寄与せず、外箱強度は十分ではなかった。
【先行技術文献】
【特許文献】
【０００７】
【特許文献１】特開２００２−２３４５３１号公報
【特許文献２】特開平８−１９２８３１号公報
【発明の概要】
【発明が解決しようとする課題】
【０００８】
すなわち本発明は、収容物を支持するための支持部材を内部に有する包装用紙箱において、外箱部と支持部材とが一体的に形成された一枚のシートからなり、収容物を安定的に支持すると同時に外箱の強度が高い包装用紙箱を提供することを課題とする。
【課題を解決するための手段】
【０００９】
発明者らは、上記の課題を解決するために検討を重ねた結果、外箱形成部に連なる糊代部を配置し、当該糊代部にさらに支持体形成部を延設することで、糊代部によって外箱の側壁を強化するとともに、外箱の中に支持体を形成できる、一体のシートから組み立てられる包装用紙箱が得られることを見出した。さらに発明者らは、支持体を組み立てた時に、支持体の壁板が外箱の前壁・後壁にわたる、複数に分割された支持体壁板を有する支持部材形成部とすることで、外箱の前壁・後壁を強化できるとともに、収容物を安定に支持し、さらに外箱上下からの外力に対しても強い包装用紙箱を得られることに想到し、本発明を完成した。
【００１０】
すなわち、本発明は、一枚のシートを複数の折線を介して折り曲げることで組み立てられる包装用紙箱であって、互いに連設された外箱形成部と糊代部と支持体形成部とを有し、前記外箱形成部は、互いに平行する第１〜第３の３本の折線を介して同一方向に折り曲げ可能に連設された４面の外箱壁を有し、前記外箱壁は、フラップが延設された一対の左右壁と、天蓋及び底蓋が延設された一対の前後壁とを有し、前記外箱形成部の端に、前記第１〜第３の折線と平行で同一方向に折り曲げ可能である第４の折線を介して、前記左右壁と略同一の大きさである糊代部が延設され、前記糊代部の端に、前記第１〜第４の折線と平行で同一方向に折り曲げ可能である第５の折線を介して、支持体形成部が延設され、前記支持体形成部は、前記第１〜第５の折線と垂直に折り曲げ可能である複数の折線を介して連設された、１又は複数の支持穴板と複数の支持壁板とを有しており、前記複数の支持壁板の高さの合計が、外箱壁の高さと略同一であることを特徴とする、包装用紙箱に関する。
【００１１】
この包装用紙箱は、一枚のシートを折り曲げて組み立てられるため、簡潔な製造工程によってシートを製造することが可能であり、かつ、組み立ての工数が少ない。また、糊代部と外箱側壁面のうちの１面とが略全面的に重なるとともに、支持壁部と外箱の前後壁とが重なるため、外箱の側壁・前後壁の両方が強化された包装箱が得られる。さらに、上下方向からの荷重に対して、外箱と支持体の両方で力を受けることが可能であり、上下方向の強度にも優れる。
【００１２】
また本発明の包装用紙箱は、前記複数の支持壁板のうち、端部に配置された支持壁板の末端辺が、外箱の上辺又は下辺のいずれかと略同一高さとなるように配設されており、当該支持壁板の一辺で、糊代部と接合されていることが好ましい。
【００１３】
かかる構成の紙箱は、外箱の前後壁の末端まで外箱体と支持壁板とが重なる状態となって外箱の補強性に優れるとともに、支持壁板の末端が天蓋又は底蓋で支持される状態となるため、支持穴板の安定性が向上する。
【００１４】
また本発明の包装用紙箱は、前記支持穴板に穿設された収容物の支持穴が、小突出を有する円形であり、前記小突出の先端は、前記支持穴板の辺縁を規定する折線に接していることが好ましい。
【００１５】
支持穴の形状をかかる態様とすれば、包装用紙箱に係るシートの製造において支持穴を穿設する際に、打ち抜かれた支持穴の紙片がシートから離脱しやすくなるため製造における効率がより向上する。
【００１６】
また本発明の包装用紙箱は、糊付部が、前記糊代部に設けられた糊付部のみであることが好ましい。
糊付部がただ１箇所であれば、包装用紙箱に係るシートの製造においては製造が簡潔で材料コストにも優れる。また組み立てが簡単であり作業効率に優れる。
【００１７】
また本発明の包装用紙箱は、収容物が、一端に先細形状の先端を有する物品であり、前記物品は支持体穴に掛止されて、当該物品の先端が外箱の底に接しない状態で収容されることが好ましい。
本発明の包装用紙箱の内部に形成される支持体は、支持壁部によって両末端が支持されているため支持穴の動きが少なく、収容物を安定に保持することができる。特に、先細形状の先端を有する物品を収容する場合には、物品が支持体穴によって支持され、物品の先端が外箱に接しない状態で収容することが可能となる。かかる態様で物品を収容すると、収容物品の先端の変形や破損を効果的に防止できるため、収容物品の先端を保護する効果に優れる。
【発明の効果】
【００１８】
本発明によれば、収容物の支持部材を内部に有する包装用紙箱において、外箱部と支持部材とが一体的に形成された一枚のシートから組み立てられるため、シートの製造・組み立てが簡単であるとともに、組み立てられた箱の内部では支持部材の収容物が安定的され、同時に外箱の強度が高い包装用紙箱が得られる。
【図面の簡単な説明】
【００１９】
【図１】本発明の実施例である包装用紙箱である。（Ａ）は展開図、（Ｂ）は箱を組み立てた状態で重なり合う部分を示す図である。
【図２】図１の包装用紙箱を組み立てた状態の斜視図である。
【図３】本発明の別の実施例である包装用紙箱である。（Ａ）は展開図、（Ｂ）は箱を組み立てた状態で重なり合う部分を示す図である。
【図４】図３の包装用紙箱を組み立てた状態の斜視図である。
【図５】支持体穴板における、支持穴の形状の例である。
【図６】従来の包装用紙箱の展開図の１例である。
【発明を実施するための形態】
【００２０】
以下、図面に基づいて、本発明による包装用紙箱の好適な実施形態について詳細に説明する。なお、図面に示された実施形態は本発明の１例であって、本発明は図面に示された実施例に制限されるものではない。
【００２１】
図１（Ａ）は本発明に係る包装用紙箱の組み立て前の状態である、包装用紙箱用のシートである。このシートは外箱形成部（Ａ）、支持体形成部（Ｂ）及び糊代部（Ｃ）を有し、これらの部分が、（Ａ）、（Ｃ）、（Ｂ）の順に連設されている。
【００２２】
外箱形成部（Ａ）は、互いに平行な折線ａ、ｂ及びｃを介して連設された４面の外箱壁である左壁１、後壁２、右壁３及び前壁４を有し、組み立て時には高さＨ、幅Ｗ、奥行きＤの外箱が形成される。左壁１の上端には天蓋フラップ５、下端には底蓋フラップ６がそれぞれ折線を介して延設されている。左壁１に隣接する後壁２の上端には、差し込み舌片７を有する天蓋８が延設されている。後壁２に隣接して右壁３が連設されており、右壁３の上端には天蓋フラップ５、下端には底蓋フラップ６がそれぞれ折線を介して延設されている。右壁３に隣接して前壁４が連設されており、前壁４の下端には差し込み舌片９を有する底蓋１０が延設されている。
本実施例の場合、折線ａ、ｂ、ｃはいずれも谷折線であるが、これら３本の折線はいずれも山折線とすることもできる。
【００２３】
外箱形成部（Ａ）に隣接し、折線ｄを介して、糊代片１１からなる糊代部（Ｃ）が連設されている。糊代片１１は、左壁１及び右壁３と略同一の形状であるが、組み立ての容易性のために、支持体形成部（Ｂ）に近い側が僅かに狭い台形状に設計されている。糊代片１１の裏側にはテープ状の貼付部１２が設けられている。組み立て時には、左壁１と糊代片１１とが重ね合され、貼付部１２を介して貼着されることで外箱が形成される。貼付部１２は例えば両面テープ等の粘着部材であることが好ましい。
糊代部（Ｃ）の別の態様として、糊代片１１を左壁１及び右壁３と同一の形状とすることもできる。また、糊代片１１の全面を貼付部１２とすることもできる。
【００２４】
糊代部（Ｃ）に隣接し、折線ｅを介して支持体形成部（Ｂ）が連設されている。支持体形成部（Ｂ）は、支持壁板１３、支持穴板１４、支持壁板１５が折線ｆ、ｇを介して連設されてなる。支持穴板１４には支持穴１６が穿設されている。支持壁板１３の上辺と外箱壁１〜４の上辺とは同じ高さとなるよう設計されている。折線ｅは、糊代部（Ｃ）の上端ｘから支持穴板１４の上端ｙに至る部分であり、支持穴板１４の上端ｙから糊代部の下端ｚに至る部分では、支持体形成部（Ｂ）と糊代部（Ｃ）とは切り離されている。
支持壁板１３、１５の高さは其々Ｈ１、Ｈ２であり、これらの和は外箱の高さに等しい。すなわち、Ｈ１＋Ｈ２＝Ｈである。
支持穴１６の大きさは収容する物品に応じて適宜設定することができ、形状は円形、楕円形、四角形等、必要に応じて適宜設定することができる。
【００２５】
図１の包装用紙箱の組み立ては、折線ａ〜ｄを谷折りし、さらに折線ｅを谷折りにして支持体形成部（Ｂ）と糊代部（Ｃ）とを重ね合わせながら糊代部（Ｃ）を外箱の内部に折り込み、貼付部１２によって糊代片１１と左壁１とを貼着し、外箱を形成する。続いて、支持体形成部（Ｂ）の折線ｆを谷折り、折線ｇを山折りにして支持穴板１４が外箱の内部で略水平になるよう調整する。続いてフラップ５、６、天蓋８、底蓋１０を折り、最後に差し込み舌片７、９を外箱に差し込んで組み立てが完成する。
【００２６】
図１（Ｂ）は、本実施例の紙箱を組み立てた状態で互いに重なり合う部分を示している。外箱の左壁１と糊代片１１が重複し（記号イ）、後壁２の上部と支持壁板１３とが重複し（記号ロ）、前壁４の下部と支持壁板１５とが重複する（記号ハ）。すなわち、図１の紙箱では、外箱の側壁が略全面にわたって糊代片と重なり合うことで補強され、かつ、外箱の前壁及び後壁が支持壁板と重なり合うことで補強される。
図１の実施例では、重複部分のうち、貼着によって固定された部分は貼付部１２のみであるが、必要に応じて支持壁板にも貼着部を設けて、支持壁と外箱壁とを貼着固定することもできる。
【００２７】
図２は図１の紙箱を組み立てた状態の斜視図であり、理解容易のために糊代部、底蓋、底蓋フラップは図示せず、外箱を仮想線で示し、箱内部の支持体を実線で示している。支持壁板１３は折線ｅで糊代片１１と連接しているので、実質的に非可動である。支持穴１６の上から収容物を差し込むと支持壁板１４は収容物の荷重を受けるが、支持壁板１３及び支持壁板１５によって支えられているため、安定的に収容物を保持することができる。
【００２８】
例えば収容物がシリンジ等のように先端に細軸部を有する物品である場合、本実施例の紙箱に、細くなった先端が下になるように差し入れ、軸本体の太幅部が支持穴で掛止されるようにすることで、先端が包装箱の底に接しない状態で収容することができる。このため、物品の先端を外部の衝撃から保護して、破損や傷付きを回避することができる。
【００２９】
図３（Ａ）、（Ｂ）は本発明に係る別の形態の紙箱を示している。図３の実施例において、外箱形成部（Ａ）及び糊代部（Ｃ）は、後壁２の下端に差し込み舌片９´を有する底蓋１０´が延設されている点以外は、図１の実施例と基本的に同様の形態であるので、対応する部分には同じ符号を付して説明を省略する。
なお、本発明において天蓋及び底蓋は、任意方向に開口するように設定することが可能であるが、図１及び図３の如くに設定すれば、差し込み舌片が差し込まれる部分では外箱と支持壁とが重複しておらず、箱の組み立てや使用時の開閉がより簡単になる。
【００３０】
糊代部（Ｃ）に隣接し、折線ｅを介して支持体形成部（Ｂ）が連設されている。支持体形成部（Ｂ）は、３枚の支持壁板１３ａ、１３ｂ、１５と２枚の支持穴板１４ａ、１４ｂとが、折線ｆａ、ｇａ、ｆｂ、ｇｂを介して交互に連設されている。支持穴板１４ａ、１４ｂにはそれぞれ支持穴１６ａ、１６ｂが穿設されている。支持穴板１４ａ、１４ｂは組み立てた状態では互いに平行となる。また、支持穴１６ａ、１６ｂは組み立て時には垂直方向に重なり合う位置となるように設定されているが、収容する物品の形状や所望の保持態様に応じて適宜変更することができる。
支持壁板１３ｂの下辺と外箱の壁の下辺とは同じ高さとなるよう設定されている。折線ｅは糊代部（Ｃ）の下端ｚから支持穴板１４ｂの下端ｙに至る部分であり、支持穴板１４の下端ｙから糊代部（Ｃ）の上端ｘに至る部分では、支持体形成部（Ｂ）と糊代部（Ｃ）とは切り離されている。
支持壁板１３ａ、１５、１３ｂの高さは其々Ｈ１、Ｈ２、Ｈ３であり、これらの和は外箱の高さに等しい。すなわち、Ｈ１＋Ｈ２＋Ｈ３＝Ｈである。
【００３１】
図３の包装用紙箱の組み立ては、折線ｅを谷折りにして支持体形成部（Ｂ）と糊代部（Ｃ）とを重ね合わせながら糊代部（Ｃ）を外箱の内部に折り込むように糊代片１１と左壁１とを重ね、これを貼付部１２で貼着固定し、外箱を形成する。
続いて、支持体形成部（Ｂ）の折線ｆａ、ｇｂを谷折り、折線ｆｂ、ｇａを山折りにして支持穴板１４ａ、１４ｂが外箱の内部で略水平になるよう調整する。続いてフラップ５、６、天蓋８、底蓋１０´を折り、最後に差し込み舌片７、９´を外箱に差し込んで組み立てが完成する。
【００３２】
図３（Ｂ）は、紙箱を組み立てた状態で互いに重なり合う部分を示している。外箱の左壁１と糊代片１１が重複し（記号イ）、後壁２の上部と支持壁板１３ａとが重複し（記号ロ）、前壁の中間部と支持壁板１５とが重複し（記号ハ）、後壁２の下部と支持壁板１３ｂとが重複する（記号ニ）。すなわち、図３の紙箱は、外箱の側壁が糊代片と重なり合うことで補強され、かつ、外箱の前壁及び後壁が支持壁板と重なり合うことで補強される。
【００３３】
図４は図３の紙箱を組み立てた状態の斜視図であり、理解容易のために糊代部、底蓋、底蓋フラップは図示せず、外箱を仮想線で示し、箱内部の支持体を実線で示している。支持壁板１３ｂは折線ｅで糊代片１１と連接しているので、実質的に非可動である。支持穴１６ａ、１６ｂに収容物を差し込んで収容物を保持する。例えば、収容物が細長いペンシル状の物品であって、支持穴板１４ａ、１４ｂで掛止されずに底まで差し込まれる場合であっても、収容物は２枚の支持穴板１４ａ、１４ｂによって外箱の中央部に保持されるため、外部からの衝撃から保護され、収容物の傷や破損が生じにくい。
【００３４】
図５は、本発明の包装用紙箱にかかる支持穴の形状の例示である。支持穴は（ａ）の如く円形でもよく、（ｂ）、（ｃ）及び（ｄ）のように小突出を有し、小突出の先端が折線ｆ、ｇに接する円形ないし楕円形であることも好ましい。
【符号の説明】
【００３５】
１  左壁
２  後壁
３  右壁
４  前壁
５  天蓋フラップ
６  底蓋フラップ
７  天蓋差し込み舌片
８  天蓋
９、９´  底蓋差し込み舌片
１０、１０´  底蓋
１１  糊代片
１２  貼付部
１３、１３ａ、１３ｂ、１５  支持壁板
１４、１４ａ、１４ｂ  支持穴板
１６  支持穴
１０１  背面板
１０２  右側板
１０３  正面板
１０４  左側板
１０５  内側背板
１０６  支持板
１０７  支持壁
１０８  緩衝用底
１０９  間隔形成用貼着片
１１０  中間支持板
１１１  間隔形成板
【図１】
2013227037.tif 000003
【図２】
2013227037.tif 000004
【図３】
2013227037.tif 000005
【図４】
2013227037.tif 000006
【図５】
2013227037.tif 000007
【図６】
2013227037.tif 000008